(57)【特許請求の範囲】
【請求項１】
ユーザ間通信における着信を検知する通信機器と接続され、１以上の電子機器に対して、当該着信に応じたコンテンツを提供するサーバであって、
前記通信機器から、前記着信の相手ユーザに応じて設定されたコンテンツデータを特定するための検索条件を示す着信設定データを受信する着信設定受信手段と、
前記通信機器から、コンテンツデータを配信する先の前記電子機器を特定する識別データを設定した配信設定データを受信する配信設定受信手段と、
前記着信設定データ、前記配信設定データ、およびコンテンツデータを記憶する記憶手段と、
前記通信機器から、前記着信を検知した相手ユーザを示す着信データを受信する着信情報受信手段と、
前記着信情報受信手段により着信データを受信したことに応じて、前記記憶手段により記憶された前記着信設定データに基づいて、前記記憶手段により記憶されたコンテンツデータを抽出する抽出手段と、
前記抽出手段によりコンテンツデータが抽出されたことに応じて、前記記憶手段により記憶された前記配信設定データに基づいて、当該抽出されたコンテンツデータを配信する電子機器を決定し、当該コンテンツデータを当該決定した電子機器に送信する送信手段と、を備えるサーバ。
【請求項２】
前記着信設定受信手段は、前記着信設定データが示すコンテンツデータを更に受信することを特徴とする請求項１に記載のサーバ。
【請求項３】
前記配信設定受信手段は、前記配信設定データとして、前記コンテンツデータの種類毎に前記識別データを受信することを特徴とする請求項１または請求項２に記載のサーバ。
【請求項４】
前記配信設定受信手段は、前記配信設定データとして、前記着信の相手ユーザ毎に前記識別データを受信することを特徴とする請求項１から請求項３のいずれかに記載のサーバ。
【請求項５】
前記配信設定受信手段は、前記配信設定データとして、前記コンテンツデータ毎に前記識別データを受信することを特徴とする請求項１から請求項４のいずれかに記載のサーバ。
【請求項６】
ユーザ間通信における着信を検知する通信機器と接続されたサーバにより、１以上の電子機器に対して、当該着信に応じたコンテンツを提供する方法であって、
前記通信機器から、前記着信の相手ユーザに応じて設定されたコンテンツデータを特定するための検索条件を示す着信設定データを受信する着信設定受信ステップと、
前記通信機器から、コンテンツデータを配信する先の前記電子機器を特定する識別データを設定した配信設定データを受信する配信設定受信ステップと、
前記着信設定データ、前記配信設定データ、およびコンテンツデータを記憶する記憶ステップと、
前記通信機器から、前記着信を検知した相手ユーザを示す着信データを受信する着信情報受信ステップと、
前記着信情報受信ステップで着信データを受信したことに応じて、前記記憶ステップで記憶された前記着信設定データに基づいて、前記記憶ステップで記憶されたコンテンツデータを抽出する抽出ステップと、
前記抽出ステップでコンテンツデータが抽出されたことに応じて、前記記憶ステップで記憶された前記配信設定データに基づいて、当該抽出されたコンテンツデータを配信する電子機器を決定し、当該コンテンツデータを当該決定した電子機器に送信する送信ステップと、を含む方法。
【請求項７】
ユーザ間通信における着信を検知する通信機器と接続されたサーバに、１以上の電子機器に対して、当該着信に応じたコンテンツを提供させるプログラムであって、
前記通信機器から、前記着信の相手ユーザに応じて設定されたコンテンツデータを特定するための検索条件を示す着信設定データを受信する着信設定受信ステップと、
前記通信機器から、コンテンツデータを配信する先の前記電子機器を特定する識別データを設定した配信設定データを受信する配信設定受信ステップと、
前記着信設定データ、前記配信設定データ、およびコンテンツデータを記憶する記憶ステップと、
前記通信機器から、前記着信を検知した相手ユーザを示す着信データを受信する着信情報受信ステップと、
前記着信情報受信ステップで着信データを受信したことに応じて、前記記憶ステップで記憶された前記着信設定データに基づいて、前記記憶ステップで記憶されたコンテンツデータを抽出する抽出ステップと、
前記抽出ステップでコンテンツデータが抽出されたことに応じて、前記記憶ステップで記憶された前記配信設定データに基づいて、当該抽出されたコンテンツデータを配信する電子機器を決定し、当該コンテンツデータを当該決定した電子機器に送信する送信ステップと、を実行させるプログラム。
【発明の詳細な説明】
【技術分野】
【０００１】
本発明は、着信に応じたコンテンツを提供するサーバ、方法、およびプログラムに関する。
【背景技術】
【０００２】
従来、ＰＣ（Ｐｅｒｓｏｎａｌ  Ｃｏｍｐｕｔｅｒ）や電話機等の通信機器において、電話やメール等の通信の着信時に、通信相手の名前や画像、着信音等のコンテンツを出力して、ユーザに着信を報知することが行われている。
【０００３】
このような報知のためのコンテンツは、通信機器に備えられたディスプレイやスピーカから出力されるが、家庭内での設置状況や携帯状況によっては、ユーザが着信に気付かないことがあった。特に、ディスプレイが見えない場合には、着信の相手を認識できないことが多かった。
【０００４】
そこで、通信機器以外の電子機器により着信報知を行うことが提案されている。例えば、特許文献１には、電話機から信号を受信して、着信報知を行うテレビ等の映像表示装置が示されている。
【特許文献１】特開２００６−２２９５５７号公報
【発明の開示】
【発明が解決しようとする課題】
【０００５】
しかしながら、上述のように電子機器において着信報知の設定を行うのは、手間がかかる作業であり、これを複数の電子機器で同様に設定するには、それぞれの電子機器で同様の作業を繰り返す必要があるため、負担が大きかった。更に、設定変更を行う際にも、それぞれの電子機器において同様の作業を繰り返す必要があった。
【０００６】
本発明は、通信機器において設定した着信設定を複数の他の電子機器で利用できるサーバ、方法、およびプログラムを提供することを目的とする。
【課題を解決するための手段】
【０００７】
本発明では、以下のような解決手段を提供する。
【０００８】
（１）  ユーザ間通信における着信を検知する通信機器（例えば、後述の携帯電話機２０）と接続され、１以上の電子機器（例えば、後述の電子機器３０）に対して、当該着信に応じたコンテンツを提供するサーバ（例えば、後述のサーバ１０）であって、
前記通信機器から、前記着信の相手ユーザ毎に設定されたコンテンツデータを示す着信設定データを受信する着信設定受信手段（例えば、後述の着信設定受信部１１）と、
前記通信機器から、前記コンテンツデータを配信する先の前記電子機器を特定する識別データを設定した配信設定データを受信する配信設定受信手段（例えば、後述の配信設定受信部１２）と、
前記着信設定データ、前記配信設定データ、および前記コンテンツデータを記憶する記憶手段（例えば、後述の着信設定ＤＢ１６、コンテンツＤＢ１７、配信設定ＤＢ１８）と、
前記通信機器から、前記着信を検知した相手ユーザを示す着信データを受信する着信情報受信手段（例えば、後述の着信情報受信部１３）と、
前記着信情報受信手段により着信データを受信したことに応じて、前記記憶手段により記憶された前記着信設定データに基づいて、当該着信データが示す相手ユーザに対応付けられたコンテンツデータを抽出する抽出手段（例えば、後述のコンテンツ抽出部１４）と、
前記抽出手段によりコンテンツデータが抽出されたことに応じて、前記記憶手段により記憶された前記配信設定データに基づいて、当該抽出されたコンテンツデータを配信する電子機器を決定し、当該コンテンツデータを当該決定した電子機器に送信する送信手段（例えば、後述のコンテンツ送信部１５）と、を備えるサーバ。
【０００９】
このような構成によれば、当該サーバは、通信機器から、着信の相手ユーザ毎に設定されたコンテンツデータを示す着信設定データを受信し、通信機器から、コンテンツデータを配信する先の電子機器を特定する識別データを設定した配信設定データを受信し、着信設定データ、配信設定データ、およびコンテンツデータを記憶し、通信機器から、着信を検知した相手ユーザを示す着信データを受信し、着信データを受信したことに応じて、記憶手段により記憶された着信設定データに基づいて、当該着信データが示す相手ユーザに対応付けられたコンテンツデータを抽出し、コンテンツデータが抽出されたことに応じて、記憶手段により記憶された配信設定データに基づいて、当該抽出されたコンテンツデータを配信する電子機器を決定し、当該コンテンツデータを当該決定した電子機器に送信する。
【００１０】
このことにより、当該サーバは、通信機器においてユーザ通信（例えば、音声通話や電子メール）の着信時に相手ユーザ毎に決定される出力コンテンツデータを、識別データにより特定される電子機器に対して送信することができる。すなわち、通信機器において設定した着信設定を、複数の他の電子機器で利用することができる。したがって、所定の通信機器に限らず、様々な電子機器（例えば、テレビや冷蔵庫等の家電機器）において、この通信機器と同様の着信報知を実施することができる。
【００１１】
（２）  前記着信設定受信手段は、前記着信設定データが示すコンテンツデータを更に受信することを特徴とする（１）に記載のサーバ。
【００１２】
このような構成によれば、当該サーバは、通信機器から受信したコンテンツデータを記憶し、このコンテンツデータを電子機器に送信するので、例えば、通信機器にて作成されたコンテンツ（画像や音声等）を、他の電子機器において同様に出力して着信を報知することができる。
【００１３】
（３）  前記着信設定受信手段は、前記着信設定データとして、前記コンテンツデータを特定するための検索条件を受信し、
前記抽出手段は、前記着信設定受信手段により受信した検索条件に基づいて、前記記憶手段により記憶されたコンテンツデータを抽出することを特徴とする（１）または（２）に記載のサーバ。
【００１４】
このような構成によれば、当該サーバは、着信設定データとして、コンテンツデータを特定するための検索条件を受信し、受信した検索条件に基づいて、コンテンツデータを抽出する。
【００１５】
このことにより、当該サーバは、予め記憶したコンテンツデータの中から、通信機器により検索条件で指定されたコンテンツデータを抽出して、電子機器に送信できる。したがって、通信機器において生成されないコンテンツを利用して、電子機器において着信を報知することができる。
【００１６】
（４）  前記配信設定受信手段は、前記配信設定データとして、前記コンテンツデータの種類毎に前記識別データを受信することを特徴とする（１）から（３）のいずれかに記載のサーバ。
【００１７】
このような構成によれば、当該サーバは、コンテンツデータの種類（例えば、画像、音声、テキスト等）毎にこのコンテンツデータを配信する電子機器を決定することができる。その結果、通信機器のユーザは、例えば、画像を出力しない電子機器や、音声を出力しない電子機器等を設定することができるため、電子機器の種類や設置場所に応じて、着信報知の方法を調整することができる。
【００１８】
（５）  前記配信設定受信手段は、前記配信設定データとして、前記着信の相手ユーザ毎に前記識別データを受信することを特徴とする（１）から（４）のいずれかに記載のサーバ。
【００１９】
このような構成によれば、当該サーバは、通信の相手ユーザ毎にコンテンツデータを配信する電子機器を決定することができる。その結果、通信機器のユーザは、例えば、自分以外の目に触れる可能性がある電子機器において、特定の相手からの着信報知を行わない等、着信相手毎に設定を調整することができる。
【００２０】
（６）  前記配信設定受信手段は、前記配信設定データとして、前記コンテンツデータ毎に前記識別データを受信することを特徴とする（１）から（５）のいずれかに記載のサーバ。
【００２１】
このような構成によれば、当該サーバは、コンテンツデータ毎に、配信する電子機器を決定することができる。その結果、通信機器のユーザは、例えば、自分以外の目に触れる可能性がある電子機器において、特定のコンテンツデータが出力されないようにする等、コンテンツデータ毎に設定を調整することができる。
【００２２】
（７）  ユーザ間通信における着信を検知する通信機器と接続されたサーバにより、１以上の電子機器に対して、当該着信に応じたコンテンツを提供する方法であって、
前記通信機器から、前記着信の相手ユーザ毎に設定されたコンテンツデータを示す着信設定データを受信する着信設定受信ステップと、
前記通信機器から、前記コンテンツデータを配信する先の前記電子機器を特定する識別データを設定した配信設定データを受信する配信設定受信ステップと、
前記着信設定データ、前記配信設定データ、および前記コンテンツデータを記憶する記憶ステップと、
前記通信機器から、前記着信を検知した相手ユーザを示す着信データを受信する着信情報受信ステップと、
前記着信情報受信ステップにより着信データを受信したことに応じて、前記記憶ステップにより記憶された前記着信設定データに基づいて、当該着信データが示す相手ユーザに対応付けられたコンテンツデータを抽出する抽出ステップと、
前記抽出ステップによりコンテンツデータが抽出されたことに応じて、前記記憶ステップにより記憶された前記配信設定データに基づいて、当該抽出されたコンテンツデータを配信する電子機器を決定し、当該コンテンツデータを当該決定した電子機器に送信する送信ステップと、を含む方法。
【００２３】
このような構成によれば、当該方法を実行することにより、（１）と同様の効果が期待できる。
【００２４】
（８）  ユーザ間通信における着信を検知する通信機器と接続されたサーバに、１以上の電子機器に対して、当該着信に応じたコンテンツを提供させるプログラムであって、
前記通信機器から、前記着信の相手ユーザ毎に設定されたコンテンツデータを示す着信設定データを受信する着信設定受信ステップと、
前記通信機器から、前記コンテンツデータを配信する先の前記電子機器を特定する識別データを設定した配信設定データを受信する配信設定受信ステップと、
前記着信設定データ、前記配信設定データ、および前記コンテンツデータを記憶する記憶ステップと、
前記通信機器から、前記着信を検知した相手ユーザを示す着信データを受信する着信情報受信ステップと、
前記着信情報受信ステップにより着信データを受信したことに応じて、前記記憶ステップにより記憶された前記着信設定データに基づいて、当該着信データが示す相手ユーザに対応付けられたコンテンツデータを抽出する抽出ステップと、
前記抽出ステップによりコンテンツデータが抽出されたことに応じて、前記記憶ステップにより記憶された前記配信設定データに基づいて、当該抽出されたコンテンツデータを配信する電子機器を決定し、当該コンテンツデータを当該決定した電子機器に送信する送信ステップと、を実行させるプログラム。
【００２５】
このような構成によれば、当該プログラムを実行することにより、（１）と同様の効果が期待できる。
【発明の効果】
【００２６】
本発明によれば、通信機器において設定した着信設定を複数の他の電子機器で利用することができる。
【発明を実施するための最良の形態】
【００２７】
以下、本発明の実施形態について図を参照しながら説明する。
【００２８】
＜第１の実施形態＞
［システム概要］
図１は、第１の実施形態に係る着信報知システムを示す概念図である。本発明の通信機器は携帯電話機２０とし、電子機器３０の一例としてテレビを示す。携帯電話機２０と電子機器３０とは、ネットワーク４０を介してサーバ１０に接続されている。この着信報知システムでは、携帯電話機２０に対する音声通話の着信を電子機器３０にて報知する。
【００２９】
携帯電話機２０は、「ボブさん」からの通話着信があると、着信相手ユーザの写真等の画像表示、音楽再生、および、着信相手ユーザ名や電話番号等のテキスト表示が行われるように設定されている。携帯電話機２０から、この設定データをサーバ１０に送信して登録する。これにより、電子機器３０は、サーバ１０に登録された設定データに従ってコンテンツデータを受信し、携帯電話機２０と同様の報知を実施できる。
【００３０】
［ハードウェア構成］
図２は、第１の実施形態に係るサーバ１０のハードウェア構成の一例を示す図である。サーバ１０は、制御装置１０１を構成するＣＰＵ（Ｃｅｎｔｒａｌ  Ｐｒｏｃｅｓｓｉｎｇ  Ｕｎｉｔ）１（１０１０）（マルチプロセッサ構成ではＣＰＵ２（１０１２）等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、ならびにキーボードおよびマウス等の入力装置１１００や表示装置１０２２を備える。
【００３１】
ＢＩＯＳ１０６０は、サーバ１０の起動時に制御装置１０１が実行するブートプログラムや、サーバ１０のハードウェアに依存するプログラム等を格納する。
【００３２】
Ｉ／Ｏコントローラ１０７０には、テープドライブ１０７２、ハードディスク１０７４、光ディスクドライブ１０７６、半導体メモリ１０７８等の記憶装置１０７を接続することができる。
【００３３】
記憶装置１０７を構成するハードディスク１０７４は、サーバ１０がサーバとして機能するための各種プログラムおよび本発明の機能を実行するプログラムを記憶しており、更に必要に応じて各種データベースを構成可能である。
【００３４】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブ等を使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。また、同様にテープドライブ１０７２に対応したテープメディア１０７１を主としてバックアップのために使用することもできる。
【００３５】
サーバ１０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、サーバ１０にインストールされ実行されてもよい。
【００３６】
前述のプログラムは、内部または外部の記憶媒体に格納されてもよい。ここで、記憶装置１０７を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリー等の記憶装置を記録媒体として使用し、通信回線を介してプログラムをサーバ１０に提供してもよい。
【００３７】
ここで、表示装置１０２２は、ユーザにデータの入力を受け付ける画面を表示したり、サーバ１０による演算処理結果の画面を表示したりするものであり、ブラウン管表示装置（ＣＲＴ）、液晶表示装置（ＬＣＤ）等のディスプレイ装置を含む。
【００３８】
ここで、入力装置１１００は、ユーザによる入力の受け付けを行うものであり、キーボードおよびマウス等により構成してよい。
【００３９】
また、通信Ｉ／Ｆ１０４０は、サーバ１０を専用ネットワークまたは公共ネットワークを介して端末と接続できるようにするためのネットワーク・アダプタである。通信Ｉ／Ｆ１０４０は、モデム、ケーブル・モデムおよびイーサネット（登録商標）・アダプタを含んでよい。
【００４０】
以上の例は、サーバ１０について主に説明したが、コンピュータに、プログラムをインストールして、そのコンピュータをサーバ装置として動作させることにより上記で説明した機能を実現することもできる。したがって、本発明において一実施形態として説明したサーバにより実現される機能は、上述の方法を当該コンピュータで実行することにより、あるいは、上述のプログラムを当該コンピュータに導入して実行することによっても実現可能である。
【００４１】
［機能構成］
図３は、第１の実施形態に係る着信報知システムの機能構成を示すブロック図である。なお、以下に説明するサーバ１０の各機能は、適宜、複数のサーバに分散させてもよい。
【００４２】
サーバ１０は、着信設定受信部１１と、配信設定受信部１２と、着信情報受信部１３と、コンテンツ抽出部１４と、コンテンツ送信部１５と、着信設定ＤＢ１６と、コンテンツＤＢ１７と、配信設定ＤＢ１８と、を備える。携帯電話機２０は、設定送信部２１と、着信情報送信部２２と、を備える。電子機器３０は、コンテンツ受信部３１と、コンテンツ出力部３２と、を備える。
【００４３】
着信設定受信部１１は、携帯電話機２０の設定送信部２１から送信される着信設定データとコンテンツデータとを受信する。着信設定データは、携帯電話機２０における着信時に、相手ユーザに応じて出力されるコンテンツデータ（画像、音声、テキスト等）を特定するデータである。着信設定受信部１１は、受信した着信設定データを着信設定ＤＢ１６に記憶し、コンテンツデータをコンテンツＤＢ１７に記憶する。
【００４４】
図４は、着信設定データの一例を示す図である。ここでは、利用者のユーザＩＤと着信相手の電話番号に対応付けて、コンテンツの種別と、コンテンツデータとしての画像、音声、テキスト等のファイル名が記憶される。
【００４５】
配信設定受信部１２は、通信機器に対する着信に応じてコンテンツデータを配信する先である電子機器３０を特定する配信設定データを受信する。そして、配信設定受信部１２は、受信した配信設定データを、配信設定ＤＢ１８に記憶する。
【００４６】
図５は、コンテンツの種別毎に設定された配信設定データの一例を示す図である。ここでは、利用者のユーザＩＤおよびコンテンツの種別に対応付けて、配信先の電子機器を特定する識別データが記憶される。これにより、例えば、種別が画像のコンテンツデータに関しては、識別データ「ＴＶ１２３４５」および「ＦＲ２３４５６」にて特定される電子機器３０に配信される。また、「ＦＲ２３４５６」には種別が音声のコンテンツデータも配信されるため、「ＴＶ１２３４５」と「ＦＲ２３４５６」とでは、出力されるコンテンツが異なることになる。
【００４７】
図６は、着信相手ユーザ毎に設定された配信設定データの一例を示す図である。ここでは、利用者のユーザＩＤおよび着信相手の電話番号に対応付けて、コンテンツの種別と、電子機器の識別データと、が記憶される。これにより、着信相手に応じて、コンテンツを出力させる電子機器３０を限定することができる。
【００４８】
図７は、コンテンツデータ毎に設定された配信設定データの一例を示す図である。ここでは、利用者のユーザＩＤおよびコンテンツデータに対応付けて、電子機器の識別データが記憶される。これにより、コンテンツデータ毎に、出力させる電子機器３０を限定することができる。
【００４９】
着信情報受信部１３は、携帯電話機２０の着信情報送信部２２から、検知された着信情報データを受信する。この着信情報データには、着信相手の電話番号が含まれ、前述の着信設定データ（図４）と対応付けられる。
【００５０】
コンテンツ抽出部１４は、着信情報受信部１３により受信した着信相手の電話番号に基づいて、着信設定ＤＢ１６の着信設定データを参照し、この着信相手に対応するコンテンツデータをコンテンツＤＢ１７から抽出する。
【００５１】
コンテンツ送信部１５は、配信設定ＤＢ１８の配信設定データを参照し、着信相手、コンテンツの種別、あるいはコンテンツデータのいずれかに基づいて、コンテンツ抽出部１４により抽出されたコンテンツデータを配信する電子機器３０を決定し、決定した電子機器３０へ当該コンテンツデータを送信する。
【００５２】
コンテンツ受信部３１は、コンテンツ送信部１５により送信されたコンテンツデータを受信し、このコンテンツデータの種別に応じたコンテンツ出力部３２に受け渡す。
【００５３】
コンテンツ出力部３２は、具体的には、ディスプレイやスピーカ等であって、例えば、コンテンツの種別が画像やテキストの場合にはディスプレイが、音声の場合にはスピーカが、これに当たる。
【００５４】
以上のような構成により、サーバ１０は、携帯電話機２０からの操作入力に基づいて、電子機器３０における着信設定を実現する。ここで、サーバ１０は、電子機器３０のそれぞれについて、携帯電話機２０のユーザが使用する機器であることを認証することが好ましい。
【００５５】
そこで、サーバ１０は、ユーザ認証部（図示せず）を更に備え、電子機器３０または携帯電話機２０から、ユーザと電子機器３０とを関連付けるデータを受信して認証を行う。このとき、サーバ１０のユーザ認証部は、例えば、有効期限付きのセッションＩＤを電子機器３０に送信する。そして、携帯電話機２０または電子機器３０は、このセッションＩＤと共に、電子機器３０およびユーザのＩＤを関連付けてサーバ１０へ送信する。
【００５６】
［処理フロー］
図８は、第１の実施形態に係る着信報知システムにおける処理の流れを示す図である。
【００５７】
ステップＳ１では、携帯電話機２０のユーザによる操作入力に基づいて、サーバ１０へ、着信設定データおよびコンテンツデータが送信される。
【００５８】
ステップＳ２では、サーバ１０により、ステップＳ１にて受信した着信設定データおよびコンテンツデータが記憶される。
【００５９】
ステップＳ３では、携帯電話機２０のユーザによる操作入力に基づいて、サーバ１０へ、配信設定データが送信される。
【００６０】
ステップＳ４では、サーバ１０により、ステップＳ３にて受信した配信設定データが記憶される。なお、着信設定データおよびコンテンツデータと、配信設定データとは、それぞれ別々のタイミングで送受信されることとしたが、これには限られず、同一のタイミング（操作入力）で送受信されてもよい。
【００６１】
ステップＳ５では、携帯電話機２０により、通話着信が検知される。
【００６２】
ステップＳ６では、携帯電話機２０により、ステップＳ５にて通話着信が検知されたことに応じて、サーバ１０へ、着信相手の電話番号を含む着信データが送信される。
【００６３】
ステップＳ７では、サーバ１０により、ステップＳ６にて着信データを受信したことに応じて、電子機器３０へ配信すべきコンテンツデータが抽出される。
【００６４】
ステップＳ８では、サーバ１０により、ステップＳ７にて抽出されたコンテンツデータが電子機器３０へ送信される。
【００６５】
ステップＳ９では、電子機器３０により、ステップＳ８にて受信したコンテンツデータの種別に応じたコンテンツ出力部３２により、このコンテンツデータが再生出力される。
【００６６】
＜第２の実施形態＞
第１の実施形態では、着信設定受信部１１は、携帯電話機２０から着信設定データおよびコンテンツデータを受信したが、第２の実施形態では、コンテンツデータは、予めコンテンツＤＢ１７に記憶する。なお、コンテンツＤＢ１７は、サーバ１０とは異なる外部のサーバであってもよい。
【００６７】
コンテンツ抽出部１４は、着信設定ＤＢ１６の着信設定データに基づいて、対応するコンテンツデータをコンテンツＤＢ１７から抽出する。
【００６８】
ここで、コンテンツＤＢ１７は、所定の検索エンジンにより検索可能なデータベースであってもよい。この場合、着信設定受信部１１は、着信設定データとして、コンテンツデータを特定するための検索条件を受信する。そして、コンテンツ抽出部１４は、この検索条件に基づいてコンテンツデータを検索し、着信設定データと対応付ける。
【００６９】
このような構成によれば、コンテンツデータは、携帯電話機２０からは送信する必要がなく、サーバ１０にて管理されるコンテンツデータを利用して、電子機器３０の着信設定が行われる。
【００７０】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００７１】
【図１】第１の実施形態に係る着信報知システムを示す概念図である。
【図２】第１の実施形態に係るサーバ１０のハードウェア構成の一例を示す図である。
【図３】第１の実施形態に係る着信報知システムの機能構成を示すブロック図である。
【図４】第１の実施形態に係る着信設定データの一例を示す図である。
【図５】第１の実施形態に係るコンテンツの種別毎に設定された配信設定データの一例を示す図である。
【図６】第１の実施形態に係る着信相手ユーザ毎に設定された配信設定データの一例を示す図である。
【図７】第１の実施形態に係るコンテンツデータ毎に設定された配信設定データの一例を示す図である。
【図８】第１の実施形態に係る着信報知システムにおける処理の流れを示す図である。
【符号の説明】
【００７２】
１０  サーバ
１１  着信設定受信部（着信設定受信手段）
１２  配信設定受信部（配信設定受信手段）
１３  着信情報受信部（着信情報受信手段）
１４  コンテンツ抽出部（抽出手段）
１５  コンテンツ送信部（送信手段）
１６  着信設定ＤＢ（記憶手段）
１７  コンテンツＤＢ（記憶手段）
１８  配信設定ＤＢ（記憶手段）
２０  携帯電話機（通信機器）
２１  設定送信部
２２  着信情報送信部
３０  電子機器
３１  コンテンツ受信部
３２  コンテンツ出力部
【図１】
0004834025.tif 000002
【図２】
0004834025.tif 000003
【図３】
0004834025.tif 000004
【図４】
0004834025.tif 000005
【図５】
0004834025.tif 000006
【図６】
0004834025.tif 000007
【図７】
0004834025.tif 000008
【図８】
0004834025.tif 000009